(57)【要約】【課題】本体ケースの収納電源プラグにおいて、電源プラグを引き起こす際の操作性能を向上させると共に、製品小型化に寄与できるＡＣアダプタを提供することを目的とする。【解決手段】プラグボディ２２の平面部２３に凹部２４を形成し、凹部２４の最深部２５が電源プラグ２１の回動中心よりも本体ケース１１の外郭面寄りに配設される。平面部２３上において、プラグボディ２２の前面部２６側及び後面部２７側から凹部２４の最深部２５にかけて斜面２８ａ，２８ｂを形成し、凹部２４に指を容易に掛けられるようにすることで、電源プラグを収納状態から引き起こす際の操作性能を向上させると共に、小型化したＡＣアダプタ１０を提供することができる。【選択図】　図２
2004071284.tif 000002
【特許請求の範囲】
【請求項１】
ＡＣ商用電源と接続するためのダイレクトプラグインタイプの電源プラグを備え、前記電源と未接続時には電源プラグを回動させることにより、電源プラグを本体ケースの表面から出っ張らないように収納できることを特徴とするＡＣアダプタであり、前記電源プラグのボディ部に設けられた凹部を押すことにより電源プラグを回動させて、電源プラグを収納状態から引き起こすことを特徴とするＡＣアダプタ。
【請求項２】
電源プラグに設けられた凹部の最も深い個所が、電源プラグの回動中心よりも本体ケースの外郭寄りに配設されることを特徴とする請求項１記載のＡＣアダプタ。
【請求項３】
電源プラグに設けられた凹部の幅が、凹部に指を掛けて電源プラグを回動できるように、電源プラグに備えられた一対の金属製の栓刃の間隔とほぼ同等か、もしくは同等以上の幅であることを特徴とする請求項１記載のＡＣアダプタ。
【請求項４】
電源プラグに設けられた凹部の底面が、凹部の最も深い個所に向けて、電源プラグの外表面から、傾斜がつけられていることを特徴とする請求項１記載のＡＣアダプタ。
【発明の詳細な説明】
【０００１】
【発明の属する技術分野】
本発明は携帯型電子機器等に電源を供給するＡＣアダプタに備えられた、ダイレクトプラグインタイプの電源プラグに関するものである。
【０００２】
【従来の技術】
携帯型電子機器等に電源を供給するＡＣアダプタにおいて、その多くが、携帯性を確保・向上するために、ＡＣ商用電源との接続をダイレクトプラグインタイプの電源プラグによって行なっている。
【０００３】
しかしながら、ＡＣ商用電源との接続を行なわない時には、一部に鋭利な部分もある角張った金属製の栓刃（接続端子）が本体ケース１の外郭部から突出していると、携帯に不具合であった。
【０００４】
図１に示されるように、従来のＡＣアダプタは、本体ケース１に切り欠き状の凹部２を配設し、電源プラグ３を使用しない時には本体ケース１に配設された凹部２に電源プラグ３を収納するようにした構造になっており、電源プラグ３を収納状態から引き起こす時には、栓刃４を指先で摘まんで引き出すようになったものが知られている。（実開平６−６００９１号公報）
【０００５】
【発明が解決しようとする課題】
しかしながら、上記前述した従来のＡＣアダプタでは、機器本体に収納された電源プラグを引き起こすために、栓刃を指で摘むための開口を大きく取らざるを得ず、機器本体に格納されている回路基板の配置に対して大きな制約を与えるため、製品小型化の障害になるという課題があった。本発明は、この様な課題を解決するものであり、電源プラグの引き起こしを容易にし、製品小型化に寄与できるＡＣアダプタを提供することを目的とする。
【０００６】
【課題を解決するための手段】
上記、課題を解決するために、電源プラグ２１が本体ケース１１に配設された切り欠き部に収納されて、電源プラグ２１を回動させることで切り欠き部から電源プラグ２１を引き起こす構造のＡＣアダプタ１０において、電源プラグ２１のプラグボディ２２に凹部２４を形成し、凹部２４の最も深い箇所が電源プラグ２１の回動中心よりも本体ケース１１の外郭寄りに配設されることを特徴とする。これらによると、電源プラグ２１に配設された凹部２４へ指を掛けることができ、その状態で電源プラグ２１を回動させることで、電源プラグ２１を本体ケース１１の切り欠き部に収納された状態から引き起こすことができる。
【０００７】
また、電源プラグ２１のプラグボディ２２に配設された凹部２４を押すことで電源プラグ２１を回動させるため、電源プラグ２１の栓刃２９を指で摘むための切り欠き部が不要となり、回路基板への制約をなくすことができ、製品の小型化に寄与することができる。また、指先で電源プラグ２１の栓刃２９を摘む力が弱い人でも、容易に電源プラグ２１を引き起こすことが可能となる。以上のことから、プラグボディ２２に凹部２４を配設すると、電源プラグ２１を引き起こす際の操作性能を向上させると共に、小型化したＡＣアダプタ１０を提供することができる。
【０００８】
【発明の実施の形態】
以下、本発明の実施形態について、図２、図３を参照して説明する。
【０００９】
図２、図３に示すように、本発明の一実施例であるＡＣアダプタ１０は、本体ケース１１と、ＡＣアダプタ１０に入力電源を供給するための電源プラグ２１と、入力電源を所定の電圧、電流に変換する回路基板１２と、前記本体ケース１１から引き出される出力コード１３で構成される。
【００１０】
電源プラグ２１のプラグボディ２２の平面部２３に凹部２４を形成する。凹部２４の最深部２５は、電源プラグ２１の回動中心よりも本体ケース１１の外郭面寄りに配設される。プラグボディ２２の平面部２３上において、プラグボディ２２の前面部２６側及び後面部２７側から、凹部２４の最深部２５にかけて、斜面２８ａ，２８ｂを形成する。斜面２８ａ，２８ｂは、電源プラグ２１を回動させる時に、凹部２４に指を容易に掛けるために形成されるものである。
【００１１】
その際、凹部２４の幅は、電源プラグ２１に配設されている一対の栓刃２９の栓刃間寸法と同等程度であることが好ましい。このように、電源プラグ２１に凹部２４を配設することで、電源プラグ２１を本体ケース１１への収納状態から容易に引き起こすことを可能とした。凹部２４は、指を容易に掛けられるようにするためのものであり、電源プラグ２１を回動させるための指掛けであれば、その形状は問わない。本体ケースに配設された切り欠き状の電源プラグ収納部１４は、電源プラグ２１のプラグボディ２２及び一対の栓刃２９が本体ケース１１内に収納されることを目的とするため、その形状は問わない。
【００１２】
【発明の効果】
上記実施の形態における説明から明らかな様に、本発明によれば、電源プラグ２１のプラグボディ２２に凹部を形成することで、電源プラグを収納状態から容易に引き起こすことが可能になるとともに、小型化したＡＣアダプタ１０を提供することが出来る。
【００１３】
以上、実施例について説明したが、本発明はこのような実施例に限定されるものではなく、たとえば電源プラグを回動する機構を有する他機器においても適用されるものである。
【図面の簡単な説明】
【図１】従来のＡＣアダプタの斜視図
【図２】本発明の一実施例のＡＣアダプタの斜視図
【図３】本発明の一実施例のＡＣアダプタのＡ−Ａ断面図
【符号の説明】
１　本体ケース
２　凹部
３　電源プラグ
４　栓刃
１０　ＡＣアダプタ
１１　本体ケース
１２　回路基板
１３　出力コード
１４　電源プラグ収納部
２１　電源プラグ
２２　プラグボディ
２３　平面部
２４　凹部
２５　最深部
２６　前面部
２７　後面部
２８ａ　斜面ａ
２８ｂ　斜面ｂ
２９　栓刃
【図１】
2004071284.tif 000003
【図２】
2004071284.tif 000004
【図３】
2004071284.tif 000005